(57)【要約】【課題】  シールドケースを回路基板に組み付け性良く固定する電子回路ユニットを提供する。【解決手段】  本発明に係る電子回路ユニット１は、電子素子Ｃ３を実装しスルーホールＣ１，Ｃ２を穿設した回路基板Ｃと、脚部Ｓ１，Ｓ２を有するシールドケースＳと、を備え、回路基板ＣのスルーホールＣ１，Ｃ２にシールドケースＳの脚部Ｓ１，Ｓ２を挿通固定して電子素子Ｃ３を覆う。また、スルーホールＣ１，Ｃ２は、内側へ突出する凸部Ｃ１０，Ｃ１１，Ｃ２０，Ｃ２１，Ｃ２２，Ｃ２３を設け、シールドケースＳの脚部Ｓ１，Ｓ２をスルーホールＣ１，Ｃ２に挿通したときに、凸部Ｃ１０，Ｃ１１，Ｃ２０，Ｃ２１，Ｃ２２，Ｃ２３によって脚部Ｓ１，Ｓ２を圧接してシールドケースＳを回路基板Ｃに固定した。【選択図】  図１
2015230999.tif 000002
【特許請求の範囲】
【請求項１】
電子素子を実装しスルーホールを穿設した回路基板と、脚部を有するシールドケースと、を備え、前記回路基板の前記スルーホールに前記シールドケースの前記脚部を挿通固定して前記電子素子を覆う電子回路ユニットであって、
前記回路基板の前記スルーホールは内側へ突出する凸部を有し、前記回路基板の前記スルーホールに前記シールドケースの前記脚部を挿通したときに、前記脚部が前記スルーホールの前記凸部によって圧接されて、前記シールドケースが前記回路基板に固定されることを特徴とする電子回路ユニット。
【請求項２】
前記シールドケースの前記脚部は、前記スルーホールへの挿通の際に、前記脚部の所定箇所が前記スルーホールの前記凸部によって圧接されるように案内する案内部を先端に有する
ことを特徴とする請求項１に記載の電子回路ユニット。
【請求項３】
前記回路基板の前記スルーホールは、少なくとも２つの円を連結した形状であって、前記少なくとも２つの円の連結箇所が前記凸部となる
ことを特徴とする請求項１または請求項２に記載の電子回路ユニット。
【発明の詳細な説明】
【技術分野】
【０００１】
本発明は、シールドケースを回路基板に組み付け性良く固定する電子回路ユニットに関する。
【背景技術】
【０００２】
従来、シールドケースを半田付けせずに組み付け性良く回路基板に固定した電子回路ユニットとして、シールドケースの脚部を円筒状等の弾性を持たせた形状とし、前記脚部を内側に縮めた状態で回路基板のスルーホール内に挿入した後、外力を解放することで、前記脚部が外側に復元して前記スルーホール内に圧接して固定するものが、特許文献１に開示されている。
【先行技術文献】
【特許文献】
【０００３】
【特許文献１】特開２００５−１３６０１２号公報
【発明の概要】
【発明が解決しようとする課題】
【０００４】
しかしながら、シールドケースの脚部を回路基板のスルーホールに挿入する際に、シールドケースの脚部を内側に縮めるために外力を加えつつ挿入しなければならないことから、複数の脚部を有するシールドケースを回路基板のスルーホールに取り付ける場合において、組み付け性に改善の余地があった。
【０００５】
本発明は、上述した課題を鑑みてなされたものであり、シールドケースを回路基板に組み付け性良く固定する電子回路ユニットを提供することを目的とする。
【課題を解決するための手段】
【０００６】
本発明に係る電子回路ユニットは、電子素子を実装しスルーホールを穿設した回路基板と、脚部を有するシールドケースと、を備え、前記回路基板の前記スルーホールに前記シールドケースの前記脚部を挿通固定して前記電子素子を覆う電子回路ユニットであって、前記スルーホールは、内側へ突出する凸部を少なくとも１つ設け、前記シールドケースの前記脚部を前記スルーホールに挿通したときに、前記凸部によって前記脚部を圧接して前記シールドケースを前記回路基板に固定する。
【発明の効果】
【０００７】
本発明によれば、シールドケースを回路基板に組み付け性良く固定する電子回路ユニットを提供することができる。
【図面の簡単な説明】
【０００８】
【図１】本発明の実施形態である電子回路ユニットの斜視図である。
【図２】同実施形態の回路基板に形成されるスルーホールの形状に関する図である。同図において、（ａ）は第１スルーホールの形状に関し、（ｂ）は第２スルーホールの形状に関する。
【図３】同実施形態のシールドケースの脚部の形状に関する図である。同図において、（ａ）は側面図であり、（ｂ）は側面図におけるＡ−Ａにおける断面図であり、（ｃ）は側面図Ｂ−Ｂにおける断面図である。
【図４】同実施形態のシールドケースの脚部の形状の変形例に関する図である。同図において、（ａ）は側面図であり、（ｂ）は側面図におけるＡ−Ａにおける断面図であり、（ｃ）は側面図Ｂ−Ｂにおける断面図である。
【図５】同実施形態の回路基板に形成されるスルーホールの形状の変形例に関する図である。同図において、（ａ）は変形例１であり、（ｂ）は変形例２である。
【発明を実施するための形態】
【０００９】
以下、添付図面に基づいて、本発明の実施形態を説明する。
【００１０】
本発明に係る電子回路ユニット１は、回路基板Ｃと、回路基板Ｃに固定されるシールドケースＳを備える。
【００１１】
回路基板Ｃは、シールドケースＳを係合固定するための第１スルーホールＣ１、第２スルーホールＣ２を形成し、スルーホールＣ１，Ｃ２に囲まれた領域に電子素子Ｃ３を実装している。
電子素子Ｃ３は、外部からの電磁波の影響を受けて誤作動する虞のある、または、自身が放射する電磁波によって外部の電子素子に悪影響を与える虞のある電子素子、例えばＧＰＵ（Graphics Processing Unit）などの集積回路からなる。
【００１２】
シールドケースＳは、金属板を成形した扁平な箱形状に電子素子Ｃ３を覆うケースであり、回路基板Ｃの第１スルーホールＣ１と第２スルーホールＣ２のそれぞれに対応して係合する脚部Ｓ１，Ｓ２を備える。
シールドケースＳは、回路基板ＣのスルーホールＣ１，Ｃ２に脚部Ｓ１，Ｓ２を挿通することで回路基板Ｃに電子素子Ｃ３を覆うように固定され、電子素子Ｃ３に関する内外の電磁波の影響を遮断する。
【００１３】
次に、回路基板ＣのスルーホールＣ１，Ｃ２の形状について図２に基づいて説明する。
【００１４】
回路基板ＣのスルーホールＣ１は、図２（ａ）に示すように、２つの円を連結した瓢箪状の孔として形成されており、２つの円が連結することによって生じる凸部Ｃ１０，Ｃ１１が内側へ突出している。
【００１５】
また、回路基板ＣのスルーホールＣ２は、図２（ｂ）に示すように、３つの円がＬ字状に連結した孔として形成されており、３つの円が連結することによって生じる凸部Ｃ２０，Ｃ２１，Ｃ２２，Ｃ２３が内側へ突出している。
【００１６】
図２のようにスルーホールＣ１，Ｃ２のような複数の円を連結した孔形状は、ドリルによって孔を穿つだけで凸部Ｃ１０，Ｃ１１，Ｃ２０，Ｃ２１，Ｃ２２，Ｃ２３を形成することができるため、製造が容易である。
【００１７】
次に、回路基板ＣのスルーホールＣ１，Ｃ２に対応するシールドケースＳの脚部Ｓ１，Ｓ２の形状を図３に基づいて説明する。
【００１８】
シールドケースＳの脚部Ｓ１は、回路基板ＣのスルーホールＣ１に対応し、図３に示すように、平板状の脚部の先端に案内部Ｓ１０を形成している。
【００１９】
案内部Ｓ１０は、平板状の脚部が先端に行くほど狭まるテーパー形状の中央に、案内溝Ｓ１００を設ける。案内部Ｓ１０は、テーパー形状によりスルーホールＣ１に挿し込み容易となる。
【００２０】
案内溝Ｓ１００は、脚部の先端から根本に行くほど狭まる逆テーパーの溝であって、スルーホールＣ１の凸部Ｃ１０，Ｃ１１に対応するように形成されている。この案内溝Ｓ１００によって脚部Ｓ１の所定の位置で、脚部Ｓ１とスルーホールＣ１の凸部Ｃ１０，Ｃ１１が係合して脚部Ｓ１がスルーホールＣ１の内側に圧接して固定されるように、脚部Ｓ１をスルーホールＣ１に挿通する際に脚部Ｓ１が溝に沿って案内される。
【００２１】
シールドケースＳの脚部Ｓ２は、図２（ｂ）に示すように、回路基板ＣのスルーホールＣ２の形状に対応するように、平板状の脚部がＬ字になっている点を除いて、脚部Ｓ１と同様の特徴を持ち、脚部Ｓ２がスルーホールＣ２の凸部Ｃ２０，Ｃ２１，Ｃ２２，Ｃ２３と係合して、スルーホールＣ２の内側に圧接固定される。
【００２２】
以上、本発明の実施形態について説明したが、これに限らず、シールドケースＳの脚部Ｓ１の先端に形成した案内部Ｓ１０は、図４に示すようにな折れ曲がり凹部Ｓ１０１を形成して、脚部Ｓ１をスルーホールＣ１に挿通する際に、スルーホールＣ１の凸部Ｃ１０またはＣ１１が、脚部Ｓ１の折れ曲がり凹部Ｓ１０１に沿って案内されるようにしてもよい。
【００２３】
また、回路基板ＣのスルーホールＣ１の形状は、２つの円を連結した瓢箪状の孔でなく、図５（ａ）に示すように、凸部Ｃ１０とＣ１１が対向しないＳ字の孔や、図５（ｂ）に示すように、１つの凸部Ｃ１０を持つ孔で構成してもよい。
【産業上の利用可能性】
【００２４】
本発明は、シールドケースを回路基板に固定した電子回路ユニットとして好適である。
【符号の説明】
【００２５】
１        ：電子回路ユニット
Ｃ        ：回路基板
Ｃ１      ：第１スルーホール
Ｃ１０    ：凸部
Ｃ１１    ：凸部
Ｃ２      ：第２スルーホール
Ｃ２０    ：凸部
Ｃ２１    ：凸部
Ｃ２２    ：凸部
Ｃ２３    ：凸部
Ｃ３      ：電子素子
Ｓ        ：シールドケース
Ｓ１      ：第１脚部
Ｓ１０    ：案内部
Ｓ１００  ：案内溝
Ｓ１０１  ：折れ曲がり凹部
Ｓ２      ：第２脚部
【図１】
2015230999.tif 000003
【図２】
2015230999.tif 000004
【図３】
2015230999.tif 000005
【図４】
2015230999.tif 000006
【図５】
2015230999.tif 000007